【手続補正書】
【提出日】平成20年2月1日(2008.2.1)
【手続補正１】
【補正対象書類名】特許請求の範囲
【補正対象項目名】全文
【補正方法】変更
【補正の内容】
【特許請求の範囲】
【請求項１】
放送信号受信手段と、
文字情報を含む動画ファイルを読み出す読出手段と、
前記動画ファイルの文字情報から、当該動画ファイルが放送された映像であるか否かを判断する判断手段と、
この判断手段によって放送された映像であると判断すると、前記文字情報に含まれる詳細情報に基づいて前記放送信号受信手段の動作を制御する制御手段と、
を備えることを特徴とする放送受信装置。
【請求項２】
前記放送信号受信手段によって受信された映像を記録する映像記録手段を更に備えることを特徴とする請求項１に記載の放送受信装置。
【請求項３】
前記詳細情報とは、前記映像が放送された放送時間であることを特徴とする請求項１又は２に記載の放送受信装置。
【請求項４】
前記詳細情報とは、前記映像が放送された放送局番号であることを特徴とする請求項１又は２に記載の放送受信装置。
【請求項５】
番組表受信手段と、
この番組表受信手段によって受信された番組表を記憶する番組表記憶手段とを更に備え、
前記制御手段は、前記文字情報に含まれる詳細情報と前記番組表記憶手段に記憶されている番組表とを照合して、前記映像が放送予定に含まれているか否かを判断する照合手段とを更に備え、
前記制御手段は、この照合手段により前記映像が放送予定に含まれていると判断された場合に前記放送信号受信手段の動作を制御することを特徴とする請求項１又は２に記載の放送受信装置。
【請求項６】
前記読出手段は、当該装置に対し着脱可能な記録媒体から前記動画ファイルを読み出し、
前記読出手段により読み出された前記動画ファイルは、外部の機器によって記録された映像から生成されたものであることを特徴とする請求項１乃至５の何れかに記載の放送受信装置。
【請求項７】
読み出した動画ファイルの文字情報から当該動画ファイルが放送された映像であるか否かを判断する判断ステップと、
この判断ステップにて放送された映像であると判断すると、この動画ファイルの文字情報に含まれる詳細情報に基づいて放送信号受信部の動作を制御する制御ステップと、
からなることを特徴とする放送信号受信方法。
【請求項８】
コンピュータを、
読み出した動画ファイルの文字情報から当該動画ファイルが放送された映像であるか否かを判断する判断手段、
この判断手段によって放送された映像であると判断すると、この動画ファイルの文字情報に含まれる詳細情報に基づいて放送信号受信部の動作を制御する制御手段、
として機能させることを特徴とする放送信号受信プログラム。 
【手続補正２】
【補正対象書類名】明細書
【補正対象項目名】０００１
【補正方法】変更
【補正の内容】
【０００１】
本発明は、放送受信装置、及び、放送信号受信方法に関する。 
【手続補正３】
【補正対象書類名】明細書
【補正対象項目名】０００５
【補正方法】変更
【補正の内容】
【０００５】
本発明の課題は、放送受信装置において、簡単に視聴予約や録画予約を可能にすることを目的とする。 
【手続補正４】
【補正対象書類名】明細書
【補正対象項目名】０００６
【補正方法】変更
【補正の内容】
【０００６】
上記課題を解決するために、請求項１に記載の発明は、放送受信装置において、放送信号受信手段と、文字情報を含む動画ファイルを読み出す読出手段と、前記動画ファイルの文字情報から、当該動画ファイルが放送された映像であるか否かを判断する判断手段と、この判断手段によって放送された映像であると判断すると、前記文字情報に含まれる詳細情報に基づいて前記放送信号受信手段の動作を制御する制御手段とを備えることを特徴としている。 
【手続補正５】
【補正対象書類名】明細書
【補正対象項目名】００１０
【補正方法】変更
【補正の内容】
【００１０】
請求項５に記載の発明は、請求項１又は２に記載の放送受信装置において、番組表受信手段と、この番組表受信手段によって受信された番組表を記憶する番組表記憶手段とを更に備え、前記制御手段は、前記文字情報に含まれる詳細情報と前記番組表記憶手段に記憶されている番組表とを照合して、前記映像が放送予定に含まれているか否かを判断する照合手段とを更に備え、前記制御手段は、この照合手段により前記映像が放送予定に含まれていると判断された場合に前記放送信号受信手段の動作を制御することを特徴としている。 
【手続補正６】
【補正対象書類名】明細書
【補正対象項目名】００１１
【補正方法】変更
【補正の内容】
【００１１】
請求項６に記載の発明は、請求項１乃至５の何れかに記載の放送受信装置において、前記読出手段は、当該装置に対し着脱可能な記録媒体から前記動画ファイルを読み出し、前記読出手段により読み出された前記動画ファイルは、外部の機器によって記録された映像から生成されたものであることを特徴としている。 
【手続補正７】
【補正対象書類名】明細書
【補正対象項目名】００１２
【補正方法】変更
【補正の内容】
【００１２】
請求項７に記載の発明は、放送信号受信方法において、読み出した動画ファイルの文字情報から当該動画ファイルが放送された映像であるか否かを判断する判断ステップと、この判断ステップにて放送された映像であると判断すると、この動画ファイルの文字情報に含まれる詳細情報に基づいて放送信号受信部の動作を制御する制御ステップと、からなることを特徴としている。 
【手続補正８】
【補正対象書類名】明細書
【補正対象項目名】００１３
【補正方法】変更
【補正の内容】
【００１３】
請求項８に記載の発明は、放送信号受信プログラムにおいて、コンピュータを、読み出した動画ファイルの文字情報から当該動画ファイルが放送された映像であるか否かを判断する判断手段、この判断手段によって放送された映像であると判断すると、この動画ファイルの文字情報に含まれる詳細情報に基づいて放送信号受信部の動作を制御する制御手段、として機能させることを特徴としている。
【手続補正９】
【補正対象書類名】明細書
【補正対象項目名】００１４
【補正方法】変更
【補正の内容】
【００１４】
本発明によれば、文字情報を含む動画ファイルを読み出すことで、その文字情報に基づいて、放送信号受信手段を制御させることができるので、例えば、定期的に録画していた放送番組について、移動先でもリアルタイムで楽しむことが可能となる。また、文字情報に基づいて簡単に視聴予約や録画予約も可能となる。 
【手続補正１０】
【補正対象書類名】明細書
【補正対象項目名】００５７
【補正方法】変更
【補正の内容】
【００５７】
携帯電話１は、記録媒体３３１に保存している動画ファイルを読み出してサムネイル表示する際には、これと同時に動画ファイルのＡＳＦヘッダの解析を実行し、当該動画ファイルは放送された映像コンテンツが変換されたものか、またその場合、定期的な録画情報が有るか否かを判定する。定期的な録画情報は、ユーザが定期的に録画している情報、つまり、定期的に配信される映像コンテンツについて、毎日もしくは毎週録画予約をしているか否かの録画情報である。従って、定期的な録画情報が有る場合は、その放送番組の番組名、放送曜日、時間、チャンネル等の詳細情報を取得し、これらの情報に基づいて，携帯電話１のＴＶチューナー又は地上波デジタルチューナー９を起動させ、放送を受信する。例えば、ユーザが定期的に放送される映像コンテンツとしてＴＶドラマを録画している場合、その定期的な録画情報から詳細情報を取得することで、ユーザは毎週放送されるＴＶドラマを、携帯電話１でリアルタイムに見ることができる。 
【手続補正１１】
【補正対象書類名】明細書
【補正対象項目名】００７４
【補正方法】変更
【補正の内容】
【００７４】
ステップＰ１１にて、定期的な録画情報が無いと判定すると、次に文字情報に番組名があるか否かを判断する（ステップＰ１７）。文字情報がある場合、ステップＰ１８にて番組表記憶部２８に記憶されている番組表と照合し、所定期間以内、例えば現在時刻より２４時間以内に、この番組名で特定される放送番組の放送予定があるか否かを判断する（ステップＰ１９）。放送予定がある場合ステップＰ１３にてユーザに視聴予約の設定をするか否かの喚起をするが、所定期間を越える場合、ステップＰ１４にて、ユーザによる視聴予約の設定の検出を待つ（ステップＰ１４）。 
【手続補正１２】
【補正対象書類名】明細書
【補正対象項目名】００８０
【補正方法】変更
【補正の内容】
【００８０】
また定期的な録画予約が無い動画ファイルであっても、文字情報に番組名が登録されていれば、この番組名と、予め、番組表提供サービスによって取得した放送予定とを照合し、放送予定が近ければ、ＴＶ視聴の視聴予約を自動的に設定することができるため、定期的に録画をしておらず、かつ、ユーザが好む番組についても、視聴、もしくは録画をすることが可能である。